(57)【要約】【課題】操作許可者が簡単な手順で、設備の操作ができるようにする。【解決手段】操作者１はデータ入力装置２に対して、操作内容データ１ａを自筆で入力する。例えば、新棟３階の照明設備をオンする場合「Ｎ３  Ｒ  １」と入力する。データ入力装置２はこれを入力信号２ａに変換する。操作者確認手段６は操作許可者データ登録装置５に事前に登録した操作許可者データが示す筆跡、すなわち操作内容データが示す筆跡と、入力信号２ａが示す筆跡とを比較する。比較の結果操作許可と確認すると、設備操作手段７は入力信号２ａが示す設備を選択して、これを操作する。【選択図】      図１
2004157860.tif 000002
【特許請求の範囲】
【請求項１】
設置された設備を入力信号に応じて管理する装置において、操作者が自筆で入力した上記設備の操作内容データを登録する操作許可者データ登録装置と、上記操作者が自筆で入力したデータを上記入力信号に変換するデータ入力装置とを設け、上記入力信号が示す筆跡と上記登録された操作内容データが示す筆跡とを比較して上記操作者を確認する操作者確認手段と、上記比較結果が正であれば上記入力信号が示す上記設備を選択してこれを操作する設備操作手段とを備えたことを特徴とする設備の管理装置。
【請求項２】
設置された設備を入力信号に応じて管理する装置において、操作者が自筆で入力した上記設備の操作内容データを登録する操作許可者データ登録装置と、上記操作者が自筆で入力したデータを上記入力信号に変換するデータ入力装置とを設け、上記入力信号が示す上記設備を選択してこれを操作する設備操作手段と、上記入力信号が示す筆跡と上記登録された操作内容データが示す筆跡とを比較して上記操作者を特定する操作者特定手段とを備えたことを特徴とする設備の管理装置。
【請求項３】
設置された設備を入力信号に応じて管理する方法において、操作者が自筆で入力した上記設備の操作内容データを登録するステップと、上記操作者が自筆で入力したデータを上記入力信号に変換するステップと、上記入力信号が示す筆跡と上記登録された操作内容データが示す筆跡とを比較して上記操作者を確認するステップと、上記比較結果が正であれば上記入力信号が示す上記設備を選択してこれを操作するステップとを備えたことを特徴とする設備の管理方法。
【請求項４】
設置された設備を入力信号に応じて管理する方法において、操作者が自筆で入力した上記設備の操作内容データを登録するステップと、上記操作者が自筆で入力したデータを上記入力信号に変換するステップと、上記入力信号が示す上記設備を選択してこれを操作するステップと、上記入力信号が示す筆跡と上記登録された操作内容データが示す筆跡とを比較して上記操作者を特定するステップとを備えたことを特徴とする設備の管理方法。
【発明の詳細な説明】
【０００１】
【発明の属する技術分野】
この発明は、設置された設備を入力信号に応じて管理する装置及びその管理方法に関するものである。
【０００２】
【従来の技術】
従来の個人認証システムにおいては、認証対象者がタブレットに手書きサインを入力すると、外部記憶装置に登録されている手書きサインデータを読み出して、両者を照合し、これが一致すると、認証対象者が本人であるとして電気錠を開くようにしている。（例えば特許文献１参照。）
【０００３】
【特許文献１】
特開平１０−３２０５５４号公報（［００４２］〜［００４６］、図１及び図７）
【０００４】
【発明が解決しようとする課題】
従来の個人認証システムでは、入力された手書きサインデータと登録された手書きサインデータが一致すると本人と認証して単一の制御（例えば、電気錠を開く。）を実行するようにしているため、本人の認証と同時に多種の制御を実行するような場合には適用できないという問題点がある。
【０００５】
この発明は上記問題点を解消するためになされたもので、簡単な手順で操作許可者により設備の多種の制御が実行できるようにした設備の管理装置及びその管理方法を提供することを目的とする。
【０００６】
【課題を解決するための手段】
この発明の第１発明に係る設備の管理装置は、設置された設備を入力信号に応じて管理する装置において、操作者が自筆で入力した上記設備の操作内容データを登録する操作許可者データ登録装置と、上記操作者が自筆で入力したデータを上記入力信号に変換するデータ入力装置とを設け、上記入力信号が示す筆跡と上記登録された操作内容データが示す筆跡とを比較して上記操作者を確認する操作者確認手段と、上記比較結果が正であれば上記入力信号が示す上記設備を選択してこれを操作する設備操作手段とを備えたものである。
【０００７】
（また、第２発明に係る設備の管理装置は、設置された設備を入力信号に応じて管理する装置において、操作者が自筆で入力した上記設備の操作内容データを登録する操作許可者データ登録装置と、上記操作者が自筆で入力したデータを上記入力信号に変換するデータ入力装置とを設け、上記入力信号が示す上記設備を選択してこれを操作する設備操作手段と、上記入力信号が示す筆跡と上記登録された操作内容データが示す筆跡とを比較して上記操作者を特定する操作者特定手段とを備えたものである。）
【０００８】
（また、第３発明に係る設備の管理方法は、設置された設備を入力信号に応じて管理する方法において、操作者が自筆で入力した上記設備の操作内容データを登録するステップと、上記操作者が自筆で入力したデータを上記入力信号に変換するステップと、上記入力信号が示す筆跡と上記登録された操作内容データが示す筆跡とを比較して上記操作者を確認するステップと、上記比較結果が正であれば上記入力信号が示す上記設備を選択してこれを操作するステップとを備えたものである。）
【０００９】
（また、第４発明に係る設備の管理方法は、設置された設備を入力信号に応じて管理する方法において、操作者が自筆で入力した上記設備の操作内容データを登録するステップと、上記操作者が自筆で入力したデータを上記入力信号に変換するステップと、上記入力信号が示す上記設備を選択してこれを操作するステップと、上記入力信号が示す筆跡と上記登録された操作内容データが示す筆跡とを比較して上記操作者を特定するステップとを備えたものである。）
【００１０】
【発明の実施の形態】
実施の形態１．
図１及び図２はこの発明の第１及び第３発明の一実施の形態を示す図で、図１は全体構成図、図２は動作フローチャートである。
図１において、操作者１は簡略な記号で構成された操作内容データ１ａを自筆で文字入力装置２に入力するものとする。文字入力装置２は入力された操作内容データ１ａを入力信号２ａに変換して、管理装置３へ送出する。
【００１１】
管理装置３は操作者の確認と設備の操作を同時に実行する操作者確認・設備操作装置４を有し、この装置４には操作許可者データ登録装置５と、操作者確認手段６と、設備操作手段７とを有している。操作許可者データ登録装置５には、操作を許可された操作者１の筆跡による操作内容データ１ａが事前に登録されており、操作者確認手段６は、入力された操作内容データ１ａの筆跡と、操作許可者データ登録装置５に登録された操作許可者データの筆跡とを比較して、操作の許可を判断し、設備操作手段７は選択した設備を操作する機能を持っている。
【００１２】
次に、この実施の形態の動作を図２を参照して説明する。
ステップＳ１で操作者１は、ビル内設備（空調、照明、ドア等）の中で操作（オン、オフ、温度設定、開閉等）しようとする設備と、操作内容を表す操作内容データ１ａとを、自筆で文字入力装置２に入力する。例えば、「Ｎ３  Ｒ  １」と入力する。ここで、「Ｎ３」は新棟３階、「Ｒ」は照明設備を、「１」はオンをそれぞれ表すものとする。
【００１３】
ステップＳ２では、ステップＳ１で入力された操作内容データ１ａと事前に登録された操作許可者データとを操作者確認手段６で比較する。この比較結果がＯＫならステップＳ３へ進み、ＮＧならステップＳ４で操作エラーとして処理は終了する。ステップＳ３では、ステップＳ１で入力された操作内容データ１ａを設備操作手段７で解析し、選択した設備を操作する。この操作結果がＯＫなら処理は終了する。ＮＧならステップＳ５で操作エラーとして処理は終了する。
【００１４】
ここで、ステップＳ２は操作者確認手段６を、ステップＳ３は設備操作手段７を構成している。
このようにして、操作内容データ１ａを文字入力装置２に自筆で入力することにより、操作許可者を確認すると同時に、指定された設備を操作することが可能となり、次のような効果が得られる。
【００１５】
（１）  入力した文字の筆跡により、操作者が確認されるので、操作者ごとにログイン・ログアウトを行う必要がなくなり、操作が簡単になる。
（２）  操作する設備を直接入力するので、設備を選択する手間が省ける。
【００１６】
実施の形態２．
図３及び図４はこの発明の第２及び第４発明の一実施の形態を示す図で、図３は全体構成図、図４は動作フローチャートであり、図１と同様の部分は同一符号により示す。
【００１７】
図３において、管理装置３には、設備の操作と操作者の特定を同時に実行する設備操作・操作者特定装置１１を有し、この装置１１には、操作許可者データ登録装置５と、設備操作手段７と、操作者特定手段１２とを有している。操作者特定手段１２は操作内容データ１ａの筆跡と操作許可者データ登録装置５に登録された操作許可者データとを比較して、操作者を特定して記憶する。
【００１８】
次に、この実施の形態の動作を図４を参照して説明する。
ステップＳ１１で操作者１は、ビル内設備（空調、照明、ドア等）の中で操作（オン、オフ、温度設定、開閉等）しようとする設備と操作内容を表す操作内容データ１ａを、自筆で文字入力装置２に入力する。（図１のステップＳ１と同じ。）ステップＳ１２では、ステップＳ１１で入力された操作内容データ１ａを設備操作手段７で解析し、選択した設備を操作する。
【００１９】
この操作結果がＯＫならステップＳ１３へ進み、ＮＧならステップＳ１４で操作エラーとしてステップＳ１３へ進む。ステップＳ１３では、ステップＳ１１で入力された操作内容データ１ａの筆跡と、登録された操作許可者データとを操作者特定手段１２により比較して、操作者を特定、すなわち操作許可者による操作か、それ以外の操作者による操作かを判定して記録する。
ここで、ステップＳ１２は設備操作手段７を、ステップＳ１３は操作者特定手段１２を構成している。
【００２０】
このようにして、操作したい設備と操作内容データ１ａをデータ入力装置２に自筆で入力することにより、実施の形態１の効果に加えて、操作の実行及び操作者の特定を同時に行うことが可能となる。
【００２１】
【発明の効果】
以上説明したとおり、この発明の第１発明では、操作者が自筆で入力した設備の操作内容データが示す筆跡と、事前に登録された操作内容データが示す筆跡とを比較して操作者を確認する手段と、その比較結果が正であれば、操作内容データが示す設備を選択してこれを操作する手段とを備えたので、操作許可者を確認すると同時に、指定された設備を操作することができる。
【００２２】
（また、第２発明では、操作者が自筆で入力した設備の操作内容データが示す設備を選択してこれを操作する手段と、上記入力された設備の操作内容データが示す筆跡と、事前に登録された操作内容データが示す筆跡とを比較して操作者を特定する手段を備えたので、操作に加えて、操作者の特定を同時に行うことができる。）
【００２３】
（また、第３発明では、操作者が自筆で入力した設備の操作内容データが示す筆跡と、事前に登録された操作内容データが示す筆跡とを比較して操作者を確認し、その比較結果が正であれば、操作内容データが示す設備を選択してこれを操作する各ステップを備えたので、操作許可者を確認すると同時に、指定された設備を操作することができる。）
【００２４】
（また、第４発明では、操作者が自筆で入力した設備の操作内容データが示す設備を選択してこれを操作し、入力された設備の操作内容データが示す筆跡と、事前に登録された操作内容データが示す筆跡とを比較して操作者を特定する各ステップを備えたので、操作に加えて、操作者の特定を同時に行うことができる。）
【図面の簡単な説明】
【図１】この発明の実施の形態１を示す全体構成図。
【図２】この発明の実施の形態１を示す動作フローチャート。
【図３】この発明の実施の形態２を示す全体構成図。
【図４】この発明の実施の形態２を示す動作フローチャート。
【符号の説明】
１  操作者、    １ａ  操作内容データ、    ２  データ入力装置、    ２ａ入力信号、    ３  管理装置、    ４  操作者確認・設備操作装置、    ５  操作許可者データ登録装置、    ６  操作者確認手段、    ７  設備操作手段、１１  設備操作・操作者特定装置、    １２  操作者特定手段。
Ｓ２  操作者確認手段、    Ｓ３  設備操作手段、    Ｓ１２  設備操作手段、    Ｓ１３  操作者特定手段。
【図１】
2004157860.tif 000003
【図２】
2004157860.tif 000004
【図３】
2004157860.tif 000005
【図４】
2004157860.tif 000006